(57)【要約】  無線認識用タグ・アンテナおよびタグ・アンテナを含む無線認識システムを提供する。タグ・アンテナは、第１誘電体から形成される基板と、基板の下部に形成される導電性接地層と、基板の上に形成される人工磁気導体層と、人工磁気導体層に付着された無線認識用チップとを含む。
2010508753.tif 000002
【特許請求の範囲】
【請求項１】
第１誘電体から形成された基板と、
前記基板の下部に形成された導電性の接地層と、
前記基板上に形成された人工磁気導体層と、
前記人工磁気導体層上に付着された無線認識用チップを含むタグ・アンテナと、
を備える人工磁気導体を利用した無線認識用タグ・アンテナ。
【請求項２】
前記無線認識用タグ・アンテナは、導体上に付着されて使われうることを特徴とする請求項１に記載の人工磁気導体を利用した無線認識用タグ・アンテナ。
【請求項３】
前記無線認識用タグ・アンテナは、平板型の構造を有することを特徴とする請求項１に記載の人工磁気導体を利用した無線認識用タグ・アンテナ。
【請求項４】
前記人工磁気導体層は、導電性の一定形態の単位セルが規則的な間隔で配列されたパターンで形成されたことを特徴とする請求項１に記載の人工磁気導体を利用した無線認識用タグ・アンテナ。
【請求項５】
前記人工磁気導体層は、四角パッチ状の単位セルが互いに一定間隔を有して配列されたことを特徴とする請求項４に記載の人工磁気導体を利用した無線認識用タグ・アンテナ。
【請求項６】
前記人工磁気導体層は前記単位セルを四つ有し、
前記単位セルは、前記基板上に碁盤状パターン形態に配置されることを特徴とする請求項５に記載の人工磁気導体を利用した無線認識用タグ・アンテナ。
【請求項７】
前記単位セルの一辺の長さ変化によって、前記タグ・アンテナの周波数特性及び認識距離性能が変化することを特徴とする請求項５に記載の人工磁気導体を利用した無線認識用タグ・アンテナ。
【請求項８】
前記無線認識用チップは、受信される電磁波エネルギーによって動作することを特徴とする請求項４に記載の人工磁気導体を利用した無線認識用タグ・アンテナ。
【請求項９】
前記タグ・アンテナは、四角パッチ状の２枚の導体板が連結部を介して連結された形態に構成され、
前記無線認識用チップは前記連結部に配置されることを特徴とする請求項８に記載の人工磁気導体を利用した無線認識用タグ・アンテナ。
【請求項１０】
前記連結部の終端は、凹部を形成する前記２枚の導体板を接続するために前記２枚の導体板に挿入され、
前記凹部にはスロットが形成されている
ことを特徴とする請求項９に記載の人工磁気導体を利用した無線認識用タグ・アンテナ。
【請求項１１】
前記タグ・アンテナは、前記導電性の接地層から送受信電磁波の波長の１／４以下の間隔を有して、前記人工磁気導体層上に付着されることを特徴とする請求項１に記載の人工磁気導体を利用した無線認識用タグ・アンテナ。
【請求項１２】
前記人工磁気導体層上に第２誘電体層が形成され、
前記タグ・アンテナは、前記第２誘電体層上に付着される
ことを特徴とする請求項１に記載の人工磁気導体を利用した無線認識用タグ・アンテナ。
【請求項１３】
前記人工磁気導体層の表面は、高インピーダンス表面特性を有することを特徴とする請求項１に記載の人工磁気導体を利用した無線認識用タグ・アンテナ。
【請求項１４】
前記基板は、エポキシから形成されることを特徴とする請求項１に記載の人工磁気導体を利用した無線認識用タグ・アンテナ。
【請求項１５】
請求項１に記載の無線認識用タグ・アンテナを利用して製作された無線認識システム。
【請求項１６】
前記無線認識用タグ・アンテナは、平板型の構造を有し、導体上にじかに付着されることを特徴とする請求項１５に記載の無線認識システム。
【請求項１７】
前記人工磁気導体層は、四角パッチの形状を有し所定の距離間隔で配置される単位セルを備えることを特徴とする請求項１６に記載の無線認識システム。
【請求項１８】
無線認識用チップは、受信される電磁波エネルギーによって動作し、
前記タグ・アンテナは、四角パッチ状であって前記連結部を介して互いに接続される２枚の導体板を備え、
前記無線認識用チップは前記連結部に配置される
ことを特徴とする請求項１６に記載の無線認識システム。
【請求項１９】
前記無線認識システムは、ＲＦＩＤ（radio frequency identification）システムであることを特徴とする請求項１６に記載の無線認識システム。
【発明の詳細な説明】
【技術分野】
【０００１】
本発明は、アンテナ及びアンテナを利用した無線認識システムに関し、特に、人工磁気導体を利用したタグ・アンテナ及びタグ・アンテナを利用した無線認識システムに関する。
【背景技術】
【０００２】
磁気導体（magnetic conductor）は、一般的に使われる電気導体（electric conductor）に相応するものであり、電気導体の表面上では電場の接線成分がほぼ０になるが、磁気導体の表面上では磁場の接線成分がほぼ０になり、電気導体とは異なって、磁気導体表面上では電流が流れることがない。
【０００３】
このような磁気導体の性質によって磁気導体は、回路的には特定周波数で、かなり高い抵抗を有する、すなわち、開放回路の機能を行う成分として作用する。かかる磁気導体は、一般的な電気導体上に意図された特定単位セルパターンを一定間隔で周期的に配列することによって具現できるが、このように作られた磁気導体を人工磁気導体（ＡＭＣ：Artificial Magnetic Conductor）という。
【０００４】
ＡＭＣの表面は、前述のように、回路的に高インピーダンス表面（ＨＩＳ：High Impedance Surface）特性を有するが、かかるＡＭＣのＨＩＳ特性は、形成されたＡＭＣパターンによって、特定周波数に依存することになる。
【０００５】
一方、一般的にアンテナは、電気導体の接地面から送受信される信号波長λの１／４以上の距離を必要とする。なぜならば、λ／４より近距離にあれば、アンテナに流れる電流と反対方向の表面電流が電気導体接地面の表面で誘起されることにより、その２つの電流が互いに相殺され、それによってアンテナが正しく動作できなくなるからである。
【０００６】
しかし、ＡＭＣでは、表面に電流が流れないために、アンテナは、電気導体上でよりもＡＭＣ上で、はるかにさらに近距離で動作でき、それによって接地面とアンテナとの間の距離を縮められるという長所がある。かかるＡＭＣの特性を利用して、従来に移動通信端末機のような自体給電ポートを有するアンテナの新しい接地面として活用した例がある。
図１Ａ及び図１Ｂは、従来のアンテナに適用されたＡＭＣに係る側面図及び斜視図であって、これについての詳細な内容は、米国特許第６７６８４７６号明細書（特許日：２００４．０６．２７．）に開示されている。
【０００７】
図１Ａを参照すれば、ＡＭＣ １０は、接地層１８、第１誘電体層１４、ＡＭＣ層１２及び周波数選択表面層（Frequency Selective Surface（ＦＳＳ） layer）２２を含む。
【０００８】
ＡＭＣ層１２は、ビア１６を介して接地層１８と連結され、ＦＳＳ層２２は、接地層２６及び電源に連結され、キャパシタ２４を形成する。
【０００９】
図１Ｂは図１Ａに係る斜視図であり、図示されているように、ＡＭＣ層１２のパターンは、単純四角パッチの配列（array）形態をなしており、各四角パッチは、金属ビア１６を介して接地層１８に電気的に連結される構造に形成される。かかるＡＭＣ層１２上に、モノポールタイプのアンテナ（図示せず）が実装されるが、アンテナの長さを縮小するために、ＦＳＳ層２２がキャパシティブ・ローディングされた構造を有する。
【００１０】
一方、第１誘電体層１４が送受信信号波長λのほぼ１／５０のレベルに形成されていることを確認することができるが、このようにＡＭＣを利用することによって、従来のアンテナに要求されていた、接地層から送受信波長の１／４以上の距離間隔が不要になったことが分かる。
【００１１】
図１のように、従来のＡＭＣを利用したアンテナは、ＡＭＣのためのビアを有し、またＡＭＣ上にモノポール・アンテナのようなアンテナが実装されるが、かかるモノポール・アンテナは、給電ポートから電源を供給されて動作する構造を有する。従って、従来のＡＭＣを利用したアンテナは、ビアを必須的に有することによって、ＡＭＣの形成面でも複雑であり、また電源供給のための給電ポートを有することによって、構造及びサイズ面で不利である。
【先行技術文献】
【特許文献】
【００１２】
【特許文献１】米国特許第６７６８４７６号明細書
【発明の概要】
【発明が解決しようとする課題】
【００１３】
本発明がなそうとする技術的課題は、従来のＡＭＣを利用したアンテナの分野とは全く異なる分野であるＡＭＣを適用し、従来の無線認識システムでタグが有する構造的問題点を改善し、導体上にじかに付着して使用でき、単純な平板構造であって、製作しやすく、かつコスト面で安価であり、給電ポートが不要な無線認識用チップを含むＡＭＣを利用した無線認識用タグ・アンテナ及びこのタグ・アンテナを利用した無線認識システムを提供するところにある。
【課題を解決するための手段】
【００１４】
前記技術的課題を達成するために、本発明は、第１誘電体から形成された基板と、前記基板の下部に形成された導電性の接地層と、前記基板上に形成されたＡＭＣ層と、前記ＡＭＣ層上に付着され、無線認識用チップを具備したタグ・アンテナとを有するＡＭＣを利用した無線認識用タグ・アンテナを提供する。
【００１５】
本発明において、前記無線認識用タグ・アンテナは、平板型の構造を有して導体上に付着されて使われ、前記ＡＭＣ層は、導電性の一定形態の単位セルが規則的な間隔で配列されたパターンで形成されうる。前記ＡＭＣ層は、四角パッチ状の単位セルが互いに一定間隔を有して配列されうる。
【００１６】
例えば、前記ＡＭＣ層は前記単位セルを四つ有し、前記単位セルは、前記基板上に碁盤状パターン形態に配されうる。このように、ＡＭＣ層の前記単位セルの一辺の長さ変化によって、前記タグ・アンテナの周波数特性及び認識距離性能が変化しうる。
【００１７】
一方、前記無線認識用チップは、受信される電磁波エネルギーによって動作されうる。かかる前記タグ・アンテナは、四角パッチ状の２枚の導体板が連結部を介して連結された形態に構成され、前記チップは前記連結部に配されうる。前記２枚の導体板には、前記連結部の終端が挿入されて連結される形態に凹部がそれぞれ形成されており、前記連結部は、前記凹部にスロットを形成しつつ、前記２枚の導体板に連結されうる。
【００１８】
本発明において、前記タグ・アンテナは、前記接地層と送受信電磁波波長の１／４以下の間隔を有して前記ＡＭＣ層上に付着され、一方、前記ＡＭＣ層上に第２誘電体層が形成され、前記タグ・アンテナは、前記第２誘電体層上に付着されることもある。かかる前記ＡＭＣ層表面は、高インピーダンス表面特性を有する。一方、前記基板は、エポキシなどの低価格の誘電体物質から形成されうる。
【００１９】
本発明はまた、前記技術的課題を達成するために、前記無線認識用タグ・アンテナを利用して製作された無線認識システムを提供する。
本発明において、前記無線認識用タグ・アンテナは、導体上に付着して使われ、前記ＡＭＣ層は、四角パッチ状の単位セルが互いに一定間隔を有して配列されうる。
【００２０】
また、前記無線認識用チップは、受信される電磁波エネルギーによって動作し、前記タグ・アンテナは、四角パッチ状の２枚の導体板が連結部を介して連結された形態に構成され、前記チップは前記連結部に配されうる。
【００２１】
一方、前記無線認識システムは、ＲＦＩＤ（Radio Frequency Identification）システムでありうる。
【００２２】
本発明によるＡＭＣを利用した無線認識用タグ・アンテナは、給電ポートが不要な無線認識用チップを内蔵し、入射波による電磁気的相互作用によってタグ・アンテナとして動作できる。また、平板型のＡＭＣを、構造を利用して自動車やコンテナのような導体にじかに付着して使用できるので、多様な分野の無線認識システムに適用できる。一方、ＡＭＣを、ビアなしに単純な平板型に製作できるので、製作コスト面でも有利である。
【発明の効果】
【００２３】
本発明によるＡＭＣを利用した導体付着型タグ・アンテナは、タグ・アンテナのための給電役割を行い、無線信号情報認識のためのチップを有して給電ポートが不要な構造を有し、導体にじかに付着して使用できることはいうまでもなく、全体アンテナの構造を平面形に形成することによって、導体面にじかに付着して容易に使用できる。
【００２４】
また、ビアがない構造でＡＭＣを形成できるので、製造面で簡単であり、またＡＭＣ層のパターンも多様に形成できる。それによって、アンテナの要求される周波数帯域及び認識距離特性を適切に調節できる。
【００２５】
さらに、本実施例のＡＭＣを利用したタグ・アンテナは、導体上にじかに付着して使用可能であるので、金属導体を含んだ車両やコンテナのような多様な製品に直接付着して容易に無線認識システムを具現可能にする。
【図面の簡単な説明】
【００２６】
【図１Ａ】従来のアンテナに適用されたＡＭＣに係る側面図である。
【図１Ｂ】従来のアンテナに適用されたＡＭＣに係る斜視図である。
【図２Ａ】本発明の一実施例によるＡＭＣを利用したタグ・アンテナに係る平面図である。
【図２Ｂ】本発明の他の実施例によるＡＭＣを利用したタグ・アンテナに係る平面図である。
【図３】本発明のＡＭＣを利用したタグ・アンテナに係る側面図である。
【図４Ａ】図２Ａまたは図２ＢのＡＭＣを利用したタグ・アンテナに適用できるＡＭＣの単位セルに係る平面図である。
【図４Ｂ】図２Ａまたは図２ＢのＡＭＣを利用したタグ・アンテナに適用できるＡＭＣの単位セルに係る平面図である。
【図５】図４ＡのＡＭＣ層の単位セルに係る側面図である。
【図６Ａ】図２ＡのＡＭＣを利用したタグ・アンテナのタグ・アンテナをさらに詳細に示す平面図である。
【図６Ｂ】図２ＢのＡＭＣを利用したタグ・アンテナのタグ・アンテナをさらに詳細に示す平面図である。
【図７】図４ＡのＡＭＣの単位セルの一辺の長さ変化に対するタグ・アンテナの周波数特性を示すグラフである。
【図８Ａ】図２ＡのＡＭＣを利用したタグ・アンテナのＲＣＳと認識距離との特性を示すグラフである。
【図８Ｂ】図２ＢのＡＭＣを利用したタグ・アンテナのＲＣＳと認識距離との特性を示すグラフである。
【発明を実施するための形態】
【００２７】
以下、添付の図面を参照しつつ、本発明の望ましい実施例について詳細に説明する。以下の説明で、ある構成要素が他の構成要素の上に存在すると記述されるとき、それは、他の構成要素の真上に存在することもあり、その間に第三の構成要素が介在されることもある。また、図面で各構成要素の厚さや大きさは、説明の便宜及び明確性のために誇張されており、説明と関係ない部分は省略されている。図面上で、同一の符号は同一の要素を指す。一方、使われる用語は、本発明を説明するための目的で使われたものであるだけであり、意味の限定や特許請求の範囲に記載された本発明の範囲を制限するために使われるものではない。
【００２８】
図２Ａは、本発明の一実施例によるＡＭＣ（Artificial Magnetic Conductor）を利用したタグ・アンテナに係る平面図である。
【００２９】
図２Ａを参照すれば、ＡＭＣを利用したタグ・アンテナは、ＡＭＣ １００及びＡＭＣ １００上に付着されたタグ・アンテナ２００を有する。
【００３０】
ＡＭＣ １００は、導電性の接地層（図示せず）、第１誘電体から形成された基板１４０、及びＡＭＣ層１６０を有する。ＡＭＣ層１６０は導電性物質であり、一定のパターンを有して配置されるが、本実施例では、四角パッチ状の導体板が一定間隔をおいて碁盤パターンのように配置される。本実施例において、四角パッチ状にＡＭＣ層１６０が形成されているが、ＡＭＣ層１６０のパターンがこれに限定されるものではない。
【００３１】
一方、本実施例のＡＭＣ １００は、ＡＭＣ層１６０と導電性接地層１２０とを連結するビアが必要ないので、容易に製造できる。しかし、本実施例のように、ビアのないＡＭＣ １００に限定されずに、必要によってビアを含む構造に形成することができることはいうまでもない。
【００３２】
ＡＭＣ層１６０の上部にタグ・アンテナ２００が配置される。いいかえれば、ＡＭＣ層１６０にじかにタグ・アンテナ２００が付着されることになるが、一般的には、ＡＭＣ層１６０上に形成された第２誘電体層（図示せず）上に付着される。かかる第２誘電体層（図示せず）は、空気と類似した誘電率を有するフォーム（foam）から形成できる。
【００３３】
タグ・アンテナ２００は、四角パッチ状の２枚の導体板２２０，２４０が連結部２６０を介して連結される構造に形成されるが、連結部２６０の中央に給電ポートが必要ない無線認識用チップ２１０が配置される。すなわち、かかる無線認識用チップ２１０は、電源を介して供給されるエネルギーを利用するのではなく、アンテナ２００に入射される電磁波のエネルギーを利用して動作するのである。一方、連結部２６０と各導体板２２０，２４０とがスロット（slot）を形成しつつ連結されるが、かかるスロットの存在によって、アンテナの周波数特性が変わりうる。これに係る内容は、図８の部分で説明する。
【００３４】
一般的に、ＡＭＣを利用してアンテナを構成することになれば、全体アンテナの構造を平板型に形成でき、また電気導体接地面からλ／４以上の間隔が要求されないので、アンテナの全体サイズを縮小させることができる。また、ＡＭＣを利用する場合、共振周波数における反射波位相変化が小さいので、アンテナの利得を主放射方向、すなわち導体板２２０，２４０で反射されて出てくる方向に、３ｄＢほどまで向上させることができる。一方、平板型（low-profile）に製作されて、車両やコンテナのような金属導体の表面にじかに付着して使用できるという長所も有する。
【００３５】
図２Ｂは、本発明の他の実施例によるＡＭＣを利用したタグ・アンテナに係る平面図である。
【００３６】
図２Ｂを参照すれば、本実施例のＡＭＣを利用したタグ・アンテナは、図２Ａと類似しているが、タグ・アンテナ２００ａの形態で若干の差異を有する。すなわち、タグ・アンテナ２００ａは、２枚の導体板２２０ａ，２４０ａ、連結部２６０ａ、及び無線認識用チップ２１０から形成されるが、２枚の導体板２２０ａ，２４０ａと連結部２６０ａとの間にスロットが形成されない。前述のように、かかるスロットの形成いかんによって、アンテナの周波数特性が変わるが、それについての内容は、図８の部分で説明する。一方、図２Ａまたは図２Ｂで四角パッチ状のタグ・アンテナが適用されたが、要求される送受信周波数やＡＭＣ層のパターンによって、多様な形態のアンテナが適用しうることはいうまでもない。
【００３７】
図３は、ＡＭＣを利用したタグ・アンテナに係る側面図である。
【００３８】
図３を参照すれば、ＡＭＣを利用したタグ・アンテナは、ＡＭＣ １００及びタグ・アンテナ２００を有するが、ここでＡＭＣ１００は、第１誘電率εｒ１を有する基板１４０、基板１４０下部の導電性接地層１２０、基板１４０上のＡＭＣ層１６０、ＡＭＣ層１６０上の第２誘電率εｒ２を有する第２誘電体層１８０を有する。
【００３９】
第１誘電体から形成された基板１４０は、例えばＦＲ４（ガラスエポキシ）から形成され、ＡＭＣ層１６０は、図２Ａまたは図２Ｂでのような一定のパターンを有して形成しうるが、これに限定されるものではない。一方、ＡＭＣ層１６０の単位セルの間には、基板１４０と同じ第１誘電体で充填されうるが、これに限られずに、第１誘電体と異なる誘電率を有した誘電体が充填されることも可能である。
【００４０】
タグ・アンテナ２００の場合、給電ポートが不要な無線認識用チップ２１０を有する。タグ・アンテナ２００は、図２Ａまたは図２Ｂのような四角パッチ状の平板型で形成できるが、これに限定されるものではない。また、第２誘電体層１８０は、フォームのような低い誘電率を有する誘電体から形成できるが、もしＡＭＣ１００が最適状態にあれば、第２誘電体層１８０が省略されることも可能である。
【００４１】
図４Ａは、図２Ａまたは図２ＢのＡＭＣを利用したタグ・アンテナに適用できるＡＭＣ層の単位セルに係る平面図である。
【００４２】
図４Ａを参照すれば、ＡＭＣ層１６０の単位セルは四角パッチ状を有するが、かかる単位セルの各辺の長さ変化によって、アンテナの周波数特性、すなわち反射波位相特性が変わりうる。これについての内容は、図７の部分で説明する。
【００４３】
図４Ｂは、図２Ａまたは図２ＢのＡＭＣを利用したタグ・アンテナに適用できるＡＭＣ層の単位セルに係る平面図であり、図４Ａとは異なる形態を有する。さらに詳細に説明すれば、単位セルは、四角パッチ状の導電体層１６０ａに規則的な形態の誘電体層１４０ａ、例えば交差指形態（interdigital）の誘電体層１４０ａが形成される構造を有する。
【００４４】
図４Ｂのような構造で単位セルを形成する場合、図４Ａに比べて、さらに小サイズにＡＭＣを具現でき、それによって、全体アンテナサイズも縮小できる効果を有する。また、導電体層１６０ａに形成される誘電体層１４０ａ形態の変化により、アンテナの周波数特性を変化させることもできる。一方、かかる誘電体層１４０ａは、基板と同じ誘電体から形成されることもできるが、異なる誘電体から形成されることも可能である。
【００４５】
図５は、図４ＡのＡＭＣ層の単位セルに係る側面図であり、基板１４０、接地層１２０及びＡＭＣ層１６０が形成されることを確認することができる。一方、基板１４０の上部にＡＭＣ層１６０が形成されていない部分は、前述のように基板１４０と同じ誘電体や異なる誘電体で充填されることが可能である。また、ＡＭＣ層１６０と接地層１２０との間に、ビアが形成されていないことが分かる。
【００４６】
図６Ａは、図２ＡのＡＭＣを利用したタグ・アンテナを詳細に示す平面図である。
【００４７】
図６Ａを参照すれば、タグ・アンテナ２００は、２枚の平板型導体板２２０，２４０、及び２枚の導体板を連結する導電性の連結部２６０から形成されるが、連結部２６０の中央には、給電ポートが必要ない無線認識用チップ２１０が配置される。一方、連結部２６０は、スロットＡを形成するようにして、２枚の導体板２２０，２４０に挿入されて、２枚の導体板２２０，２４０に連結される。このスロットの存在によって、アンテナの周波数特性が変更されることは、前述の通りである。
【００４８】
図６Ｂは、図２ＢのＡＭＣを利用したタグ・アンテナのタグ・アンテナ２００ａを詳細に示す平面図であり、図６Ａとは異なって、２枚の導体板２２０ａ，２４０ａと連結部２６０ａとの間に、スロットが形成されていない。導体板２２０ａ，２４０ａにスロットを形成するか否か、またはどのような形にスロットを形成するかは、アンテナに要求される送受信周波数帯域によって変わり、スロット形成いかんによって認識距離も変わりうる。
【００４９】
図７は、図４ＡのＡＭＣの単位セルの一辺の長さ変化に対するアンテナの周波数特性を示すグラフであり、ｘ軸は周波数帯域を示し、ｙ軸は反射波位相を示す。一方、反射波位相変化は、ＡＭＣの抵抗値としても表現されうる。
【００５０】
図７を参照すれば、０．９ＧＨｚ〜０．９５ＧＨｚほどで、アンテナの反射波位相が−９０゜〜９０゜に変化するが、かような位相変化区間がタグ・アンテナの周波数帯域に該当することになる。一方、−９０゜〜９０゜の位相変化区間はＡＭＣの抵抗値であり、３７７Ω〜無限大（infinite）Ωに該当する区間でもある。ここで、３７７Ωの抵抗値は、自由空間インピーダンス（ＦＳＩ：Free Space Impedance）を意味する。ＡＭＣが無限大の抵抗値を有し、反射波の位相変化がゼロであることがアンテナの利得面で望ましいことはいうまでもない。
【００５１】
一方、グラフで図示された矢印のように、図４ＡのＡＭＣ層の単位セルの長さ変化によって、アンテナの周波数帯域は変化することになるが、一般的に、単位セルの長さが増大すれば、周波数帯域が低くなることが分かる。また、グラフ上に図示されていないが、図４Ｂのように、ＡＭＣ層の単位セルの形態を細密化することにより、周波数帯域を調節したり、またはアンテナの全体サイズを縮めることが可能である。
【００５２】
図８Ａは、図２ＡのＡＭＣを利用したタグ・アンテナのＲＣＳと認識距離との特性を示すグラフである。ここで、ＲＣＳは、レーダ・クロス・セクッション（Radar Cross Section）の略語である。
【００５３】
図８Ａのグラフを介して分かるように、図２ＡのようなＡＭＣを利用したタグ・アンテナは、９２７．５ＭＨｚの周波数で、約０．１３１９のＲＣＳを有し、６．２ｍまでの最大認識距離を有することができることを示す。
【００５４】
一方、グラフ上のコンピュータシミュレーション値と直接に実験的に測定された値とがほぼ類似して示されることを確認することができ、また、周波数の増大によって、ＲＣＳ特性が良好になることを確認することができる。
【００５５】
図８Ｂは、図２ＢのＡＭＣを利用したタグ・アンテナのＲＣＳと認識距離との特性を示すグラフである。
【００５６】
図８Ｂのグラフの場合、９０２ＭＨｚで最大認識距離６．５ｍを示しているが、ＲＣＳ値は、周波数によって変動が激しいことが分かる。また、シミュレーション値及び測定値も相当な差を示していることが分かる。
【００５７】
図８Ａ及び図８Ｂのグラフを介して、アンテナの導体板にスロットを形成することによって、最大認識距離は若干短くはなりうるが、アンテナの安定した周波数特性を具現できることを確認することができる。
【００５８】
本発明によるＡＭＣを利用したタグ・アンテナは、ＡＭＣを利用することによって、従来の電気導体接地面でλ／４以上の間隔を維持する必要がなく、また、ＡＭＣにビアを含めなくともすむために、製造面で有利である。一方、本発明の無線認識用チップを含むタグ・アンテナは、給電ポートが必要ではなく、また、全体のアンテナ構造を平面形の小型に製造することが可能なので、金属導体を含んだ車両やコンテナなどに容易に付着して、ＲＦＩＤ（Radio Frequency Identification）システムのような無線認識システムを容易に具現できる。さらに、ＡＭＣ層のパターン形態やタグ・アンテナの形態を調節して、周波数帯域及び認識距離を適切に調節することもできる。
【００５９】
以上、本発明について図面に図示された実施例を参考に説明したが、それらは例示的なものに過ぎず、本技術分野の当業者ならば、それらから多様な変形及び均等な他実施例が可能であるという点を理解することが可能であろう。よって、本発明の真の技術的保護範囲は、特許請求の範囲の技術的思想によって決まるのである。
【産業上の利用可能性】
【００６０】
アンテナ及びアンテナを利用した無線認識システムに係り、特に、ＡＭＣを利用したタグ・アンテナ及び該タグ・アンテナを利用した無線認識システムに関する。該ＡＭＣを利用した導体付着型タグ・アンテナは、タグ・アンテナのための給電役割を果たし、無線信号情報認識のためのチップを含んで給電ポートが不要な構造を有し、導体にじかに付着して使用できることはもちろん、全体アンテナの構造を平面形に形成することによって、導体面にじかに付着して容易に使用できる。
【図１Ａ】
2010508753.tif 000003
【図１Ｂ】
2010508753.tif 000004
【図２Ａ】
2010508753.tif 000005
【図２Ｂ】
2010508753.tif 000006
【図３】
2010508753.tif 000007
【図４Ａ】
2010508753.tif 000008
【図４Ｂ】
2010508753.tif 000009
【図５】
2010508753.tif 000010
【図６Ａ】
2010508753.tif 000011
【図６Ｂ】
2010508753.tif 000012
【図７】
2010508753.tif 000013
【図８Ａ】
2010508753.tif 000014
【図８Ｂ】
2010508753.tif 000015
【国際調査報告】
2010508753.tif 000016
2010508753.tif 000017